(57)【特許請求の範囲】
【請求項１】
第１イメージのピクセルを識別するサンプル用カーソルを制御する手段と、
第２イメージのピクセルを識別する視差用カーソルを制御する手段と、
上記第１イメージの上記ピクセル及び上記第２イメージの上記ピクセルに基づいて測定視差値を求める手段と、
上記視差用カーソルのリードアウトに上記測定視差値を表示する手段と
を具え、
上記サンプル用カーソルの場所に上記視差用カーソルが自動的に追従する試験測定機器。
【請求項２】
サンプル用カーソルを用いて第１イメージのピクセルを識別するステップと、
視差用カーソルを用いて第２イメージのピクセルを識別するステップと、
プロセッサにおいて上記第１イメージのピクセル及び上記第２イメージのピクセルに基づいて測定視差値を計算するステップと、
上記視差用カーソルのリードアウトに上記測定視差値を表示するステップと、
上記サンプル用カーソルの場所に上記視差用カーソルが自動的に追従するステップと
を具える試験測定機器における視差測定方法。
【発明の詳細な説明】
【技術分野】
【０００１】
本発明は、ビデオの試験測定機器及び視差測定方法に関し、特に、３次元（３Ｄ）イメージの視差を測定する試験測定機器及び視差測定方法に関する。
【背景技術】
【０００２】
３Ｄ映画の制作において、視差（disparity）とは、対象に対する左目のビューと右目のビューにおける対応ピクセルの水平方向の間隔である。視差の量及び極性は、３Ｄプレーンにおける対象の深さを決定する。これにより、対象が通常のイメージ・プレーンよりも近いか又は離れているようになる。視差が負ならば、即ち、右目のイメージが左目のイメージの左ならば、視差の対象は、通常のイメージ・プレーンよりも近くに現れる。視差が正ならば、即ち、右目のイメージが左目のイメージの右ならば、視差の対象は、通常のイメージ・プレーンよりも更に離れて、即ち、更に遠くに現れる。視差が大きすぎると、観察者の頭痛のたねになるか、又は、観察者を不快にする。視差が小さすぎると、３Ｄ効果が下がる。視差の測定は、３Ｄビデオ制作に必要であり、カメラの設定、プロダクション、ポスト・プロダクション、品質保証などに用いることができる。コンピュータで作成したグラフィックをライブ素材と組合せるので、ビデオ・ポスト・プロダクションでの測定がますます重要となってきており、ここで、視差を判断することは、これら２つの技術を一緒にまとめるのに重要である。
【０００３】
視差を測定するには、従来、種々のアプローチを用いた。あるアプローチでは、ユーザは、ピクチャを拡大し、ルーラ（画面上の定規）により対象のずれを測定した。このアプローチは簡単であるが、粗雑であり、不正確になりやすい。より洗練されたアプローチは、ビデオ波形モニタを用いることである。このアプローチでは、ユーザは、第１測定用のサンプル用カーソルを手動で動かし、第２測定用のサンプル用カーソルを手動で動かし、これら２つの測定の差を計算し、計算結果をビデオ・フォーマットの幅によりピクセル単位で除算して、ビデオ水平分解能幅に対する視差をピクセル単位で求める。このアプローチは、より正確であるが、時間がかかり、ユーザがビデオ・フォーマットの詳細をはっきりと把握していなければならない。
【先行技術文献】
【特許文献】
【０００４】
【特許文献１】特開２００４−１０４４２５号公報
【発明の概要】
【発明が解決しようとする課題】
【０００５】
そこで、視差の測定を迅速且つ容易に行える方法が望まれている。
【課題を解決するための手段】
【０００６】
本発明の態様は、次のようになる。
（１）第１イメージのピクセルを識別するサンプル用カーソルを制御する手段と；第２イメージのピクセルを識別する視差用カーソルを制御する手段と；上記第１イメージのピクセル及び上記第２イメージのピクセルに基づいて測定視差値を求める手段とを具えた試験測定機器。
（２）上記視差用カーソルは、上記サンプル用カーソルの移動に追従する態様１の試験測定機器。
（３）上記第１イメージ及び上記第２イメージは、コンポジット・イメージとして表示される態様１の試験測定機器。
（４）上記第１イメージ及び上記第２イメージは、２つの独立したイメージとして表示される態様１の試験測定機器。
（５）サンプル用カーソルを用いて第１イメージのピクセルを識別し；視差用カーソルを用いて第２イメージのピクセルを識別し；上記第１イメージのピクセル及び上記第２イメージのピクセルに基づいて測定視差値を計算する試験測定機器における視差測定方法。
（６）上記視差用カーソルは、上記サンプル用カーソルの移動に追従する態様５の試験測定方法。
（７）上記第１イメージ及び上記第２イメージは、コンポジット・イメージとして表示される態様５の試験測定機器における視差測定方法。
（８）上記第１イメージ及び上記第２イメージは、２つの独立したイメージとして表示される態様５の試験測定機器における視差測定方法。
【発明の効果】
【０００７】
よって、本発明の試験測定機器によれば、視差用カーソルを用いて、３Ｄイメージの視差測定を迅速且つ容易に行える。動作において、ユーザは、第１イメージのピクセルを特定するサンプル用カーソルを用いることができると共に、第２イメージのピクセルを特定する視差用カーソルを用いることができる。次に、本発明の試験測定機器は、これら２つのピクセルに基づいて、視差の測定値を自動的に提供できる。
【０００８】
本発明の目的、利点及び新規な特徴は、添付図を参照した以下の詳細な説明から明らかになろう。
【図面の簡単な説明】
【０００９】
【図１】本発明の第１実施例によるビデオ波形モニタの表示を示す図である。
【図２】本発明の第２実施例によるビデオ波形モニタの表示を示す図である。
【実施例】
【００１０】
図１は、本願出願人のテクトロニクス社製ＷＦＭ８０００型波形モニタの如きビデオ波形モニタによる本発明の第１実施例の表示１００を示す。表示１００は、被試験イメージ、従来のサンプル用カーソル１４５、本発明の実施例による視差用カーソル１５０を示す。これらの全てについて、詳細に後述する。なお、第１イメージのピクセルを識別するサンプル用カーソルを制御する手段、第２イメージのピクセルを識別する視差用カーソルを制御する手段、第１イメージのピクセル及び第２イメージのピクセルに基づいて測定視差値を求める手段は、ビデオ波形モニタを制御するマイクロプロセッサ及びその制御ソフトウェアなどにより構成できる。また、ビデオ波形モニタは、従来技術であるため、その具体的な構成の説明は省略する。
【００１１】
被試験イメージは、３Ｄ試験に一般的に用いる従来の試験イメージである。これは、コンポジット・イメージであり、２つの別々の１０８０ｉイメージである左目用イメージ及び右目用イメージを具えている。各イメージは、１９２０×１０８０アクティブ・ピクセルのピクチャ領域を有し、単一のイメージに重ね合わされる。左目用イメージ及び右目用イメージの両方は、いくつかの共通要素を含んでおり、これらのデータは完全に同じである。これら共通要素は、エッジの周囲に配置される。イメージ・レジストレーション（位置合わせ）、水平分解能、カラー・バー、４：３セーフ領域などに、これら共通要素を用いる。３Ｄコンテンツは、中心の矩形１０５内に完全に配置され、左標的１１０、右標的１１５、垂直ポール１２０、立体ラベル「３Ｄ」１２５、立体ラベル「ＴＶ」１３０、テキスト・レベル「Left Eye Open」１３５、テキスト・ラベル「Right Eye Open」から構成される。ポール１２０は、底部で視差がゼロで、頂部で負の視差である。これは、ポールの頂部が観察者方向に伸びている外見となる。立体ラベル「３Ｄ」１２５は、負の視差であるので、通常のビュー（イメージ）・プレーンよりも観察者に近づいて現れる。立体ラベル「ＴＶ」１３０は、正の視差であるので、通常のビュー・プレーンよりも観察者から離れて現れる。「Left Eye Open」テキスト１３５は、左目用イメージ内にのみ現れ、「Right Eye Open」テキスト１４０は、右目用イメージ内にのみ現れる。これらテキストには、３Ｄ効果がなく、一方の目専用にデザインされたイメージを観察するのにその一方の目を近づけた観察者が、組合せイメージを区別するためにのみ用いる。左標的１１０において、外側のリングが通常のビュー・プレーンにあり、内側のリングが離れて現れ、球も離れて現れる。右標的１１５において、外側のリングが通常のビュー・プレーンにあり、内側のリングが近づいて現れ、球も近づいて現れる。図１は、白黒イメージの図として表すが、ビデオ波形モニタ上に表示すると、このイメージはカラーで表される。
【００１２】
サンプル用カーソル１４５（「ピクセル用カーソル」としても参照される）が実線の十字カーソルとして示され、視差用カーソルのリードアウト１５５内のテキスト・ラベル「Ｓ」に対応する。サンプル用カーソル１４５により、ユーザは、ビデオ波形モニタ上での分析用にイメージの特定サンプル（又はピクセル）を識別できる。
【００１３】
視差用カーソル１５０は、点線の垂直線として示され、視差用カーソルのリードアウト１５５内のテキスト・ラベル「Ｄｉ」に対応する。
【００１４】
動作において、ユーザは、左目用ビュー内の対象のエッジ上にサンプル用カーソル１４５を配置して、左目用イメージの特定ピクセルを特定する。次に、ユーザは、右目用ビュー内の対象の同じ又は対応のエッジ上に視差用カーソル１５０を配置して、右目用イメージの特定ピクセルを特定する。（代わりに、サンプル用カーソル１４５を用いて、右目用イメージの特定ピクセルを特定してもよく、視差用カーソル１５０を用いて、左目用イメージの特定ピクセルを特定してもよい。）視差用カーソルのリードアウト１５５は、特定されたピクセルに基づいて、測定された視差の値を提供する。例えば、実施例において、視差用カーソルのリードアウト１５５は、サンプル用カーソル１４５に対して正又は負のピクセル数を表示する。別の実施例において、視差用カーソルのリードアウト１５５は、ビデオ水平分解能幅での百分率にて、測定した対象の視差を表示する。例えば、図１において、視差用カーソルのリードアウト１５５は、「Disparity cursors -5.93% of screen width（視差用カーソルがスクリーン幅の−５．９３％）」の読出し（表示）を行う。これは、ビデオ波形モニタに既存のビデオ・フォーマットの水平分解能及びピクセル差に基づいた自動計算である。
【００１５】
実施例において、視差用カーソル１５０は、サンプル用カーソル１４５の動きに追従する。すなわち、ユーザがサンプル用カーソル１４５を移動すると、視差用カーソル１５０が同じ方法で自動的に移動する。よって、視差測定が一定に維持される。また、第２対象の測定は、サンプル用カーソル１４５の場所を調整して迅速に行える。この方法で、いくつかの同様な対象を迅速に測定でき、期待された深さに対して比較できる。
【００１６】
本発明は、図１に示す実施例に限定されないことが理解できよう。例えば、図２に示す他の実施例において、表示２００において、左目用イメージ２０５及び右目用イメージ２１０を別々に示し分析してもよい。３Ｄ制作で一般的なように、２つの別々のビデオ・フィード（ビデオの流れ）を２台の別々のカメラから供給する場合に、図２に示す実施例は特に有用である。他の実施例において、パレード・モード（各コンポーネントを並べて表示するモード）又は重ね合わせモード（各コンポーネントを重ねて表示するモード）において、ＲＧＢ、ＹＣｂＣｒ及びＸＹＺ波形トレースの如きビデオ信号波形上に視差用カーソルを用いる。他の実施例において、立体写真の如き他のコンポジット・イメージ又は「左マイナス右」の如き差イメージと共に視差用カーソルを用いることができる。別の実施例において、視差用カーソルを用いて、垂直視差を求めることもできる。
【００１７】
サンプル用カーソル１４５を実線の十字カーソルとして示し、視差用カーソルを点線として示したが、これらの例は説明のためのみであることが理解できよう。また、サンプル用カーソル及び視差用カーソルは、代わりに、実線、点線、破線、又は色付き線の任意の組合せ、十字、円、点、マウス・ポインタ、又はビデオ内の対象のエッジを示すことができる他のカーソルを用いて表してもよい。
【００１８】
ビデオ波形モニタの表示は、被試験イメージを「デシメーション（間引き）」するので、小さな表示上に示すことができる。これは、視差を測定しようとする際に、エラーを生じる。このエラーを避けるために、実施例（図示せず）において、ビデオ波形モニタに接続された外部モニタ上に被試験イメージの完全な高分解能（ＨＤ）表示と共にサンプル用カーソル及び視差用カーソルを一緒に示す。ユーザは、この外部表示を用いて、一層細かなカーソル調整ができるので、より正確な視差測定ができる。
【００１９】
本発明は、ビデオ試験測定機器の分野で非常に進歩したものであることが上述から理解できよう。本発明の説明のために特定実施例について図示し説明したが、本発明の要旨を逸脱することなく種々の変更が可能なことが理解できよう。
【符号の説明】
【００２０】
１００  表示
１０５  中心の矩形
１１０  左標的
１１５  右標的
１２０  垂直ポール
１２５、１３０  立体ラベル
１３５、１４０  テキスト・ラベル
１４５  サンプル用カーソル
１５０  視差用カーソル
１５５  リードアウト
２００  表示
２０５  左目用イメージ
２１０  右目用イメージ
【図１】
0006030297.tif 000002
【図２】
0006030297.tif 000003